(57)【要約】【課題】ラック装置に対する電子機器の組立作業性の向上を図る。【解決手段】搭載位置情報表示装置（ラベル２、５０、７４）は、本体部（５）と、位置情報表示部（位置表示８、５８）が含まれる。本体部は、ラックケース（２０、３２）の固定孔（１６、３６、７２）の一部または全部と等間隔に複数の開口部（６、５２、７６）が形成され、ラックケースに搭載される電子機器（４、４０）の支持部（１０、４２）に形成された挿通孔（１２、４４、８１）に開口部の一部を配置させる。位置情報表示部は、開口部の周縁に表示され、開口部に対する挿通孔の配置位置に基づいてラックケースの固定孔に対する挿通孔の設置位置を示す。そして開口部は、挿通孔を通じて挿通された固定手段（２２、固定ネジ４６）を保持する保持手段（係合片２４、５９）を備える。【選択図】    図１
2015153849.tif 000002
【特許請求の範囲】
【請求項１】
ラックケースの固定孔の一部または全部と等間隔に複数の開口部が形成され、前記ラックケースに搭載される電子機器の支持部に形成された挿通孔に該開口部の一部を配置させる本体部と、
前記開口部の周縁に表示され、前記開口部に対する前記挿通孔の配置位置に基づいて前記ラックケースの前記固定孔に対する前記挿通孔の設置位置を示す位置情報表示部と、
を備え、前記開口部は、前記挿通孔を通じて挿通された固定手段を保持する保持手段を備えることを特徴とする搭載位置表示装置。
【請求項２】
前記本体部は、前記開口部の開口位置が前記固定孔の一部または全部と同間隔で形成されることを特徴とする請求項１に記載の搭載位置表示装置。
【請求項３】
前記本体部は、前記固定孔が形成された前記ラックケースの固定部と、前記電子機器の前記支持部との間に挟持されることを特徴とする請求項１または請求項２に記載の搭載位置表示装置。
【請求項４】
前記保持手段は、挿通された前記固定手段の外周部分に係合する係合片を備えることを特徴とする請求項１ないし請求項３のいずれか１項に記載の搭載位置表示装置。
【請求項５】
固定手段を挿通させる挿通孔が形成された支持部を備える電子機器と、
収納部の開口側に１または複数の前記電子機器を固定する固定部が形成され、該固定部に形成した複数の固定孔のいずれかに前記固定手段を介して前記電子機器を固定させるラックケースと、
前記固定孔の一部または全部と等間隔に複数の開口部が形成され、該開口部の一部に対して、前記電子機器の前記挿通孔が配置される本体部と、前記開口部の周縁に表示され、前記開口部に対する前記挿通孔の配置位置に基づいて前記ラックケースの前記固定孔に対する前記挿通孔の設置位置を示す位置情報表示部とを備え、前記開口部は、前記挿通孔を通じて挿通される前記固定手段を保持する保持手段を備える搭載位置表示部品と、
を備えることを特徴とするラック装置。
【請求項６】
前記電子機器は、前記支持部の一部に、前記挿通孔が配置された前記開口部に対する前記位置情報表示部を外部に露出させる窓部を備えることを特徴とする請求項５に記載のラック装置。
【請求項７】
ラックケースの固定孔の一部または全部と等間隔に複数の開口部が形成された搭載位置表示部品の本体部の該開口部の一部に対して、固定手段を挿通させる電子機器の挿通孔を配置させ、
前記開口部の周縁に表示された位置情報表示部により、前記開口部に対する前記挿通孔の配置位置に基づいて前記固定孔に対する前記挿通孔の設置位置を示し、
前記挿通孔を通じて挿通された固定手段を前記開口部に形成された保持手段で保持し、
前記ラックケースの収納部の前記固定部に形成された複数の前記固定孔のいずれかに、前記固定手段により前記電子機器を固定させる、
処理を含むことを特徴とするラック装置の組立て方法。
【発明の詳細な説明】
【技術分野】
【０００１】
本開示の技術は、ラックへの電子機器の取付に利用する搭載位置表示装置、ラック装置およびラック装置の組立て方法に関する。
【背景技術】
【０００２】
ラック装置は、たとえば複数の電子機器をそれぞれ着脱可能に搭載する構造となっており、搭載した各電子機器が独立して、または連動して動作する。これらの電子機器は、たとえばラック装置に実行させたい処理機能に応じて選択されて着脱作業が行われる。またラック装置では、電子機器の故障などに対する部品交換時に、対象となる電子機器の着脱作業が行われる。電子機器の取付処理では、ラック装置に形成される固定部に対して電子機器の支持部品を位置合わせして配置し、固定手段を利用して固定させる。
【０００３】
このような電子機器の取付けに関し、ラックの柱部に、取付け穴を示すイメージおよび機器の取付位置を示すイメージが印刷されたラベルを貼付するものが知られている（たとえば、特許文献１）。
【先行技術文献】
【特許文献】
【０００４】
【特許文献１】特開２００７−２６６４３７号公報
【発明の概要】
【発明が解決しようとする課題】
【０００５】
ところで、ラック装置への電子機器の設置処理では、たとえばラック装置に形成されている多数の固定部に対して電子機器を仮配置して設置位置の確認や決定をするほか、他の電子機器やラック装置のケースの一部などとの配置関係の確認などを行う手法がとられる。そしてラック装置は、固定部に対する電子機器の配置位置が決定すると、固定部や電子機器側に固定手段を設置するなどの作業を行うため、電子機器の仮配置を解除し、ラック装置から電子機器を離間させる。
【０００６】
これにより、ラック装置の組立では、電子機器を固定するまでに確認のための着脱工程を行わなければならず、作業時間と労力が必要となり、作業効率が低下するという課題がある。
【０００７】
また、ラック装置や電子機器には、仮配置が完了すると設定された取付位置に対して固定手段の装着を行うが、電子機器をラック装置から離間させるとそれぞれの固定手段の取付位置を誤認識し、設定されていない位置に固定手段が配置されるおそれがある。固定手段の取付位置を誤認識した場合、組立処理では、再び電子機器を配置してその設置位置を確認することになり、さらに作業効率の悪化を招くという課題がある。
【０００８】
そこで、本開示の技術では、斯かる課題に鑑み、ラック装置に対する電子機器の組立作業性の向上を図ることを目的とする。
【課題を解決するための手段】
【０００９】
上記目的を達成するため、本開示の構成の一側面は、本体部と、位置情報表示部が含まれる。本体部は、ラックケースの固定孔の一部または全部と等間隔に複数の開口部が形成され、ラックケースに搭載される電子機器の支持部に形成された挿通孔に開口部の一部を配置させる。位置情報表示部は、開口部の周縁に表示され、開口部に対する挿通孔の配置位置に基づいてラックケースの固定孔に対する挿通孔の設置位置を示す。そして開口部は、挿通孔を通じて挿通された固定手段を保持する保持手段を備える。
【発明の効果】
【００１０】
本開示の技術によれば、次のいずれかの効果が得られる。
【００１１】
(1)  ラックケースに対する電子機器の設置処理の迅速化が図れる。
【００１２】
(2)  ラックケース側に対する電子機器の設置位置を示すことでラック装置の組立て手順の簡略化が図れる。
【００１３】
(3)  固定手段を保持することで、ラックケースへの電子機器の配置位置の誤認回避が図れる。
【図面の簡単な説明】
【００１４】
【図１】第１の実施の形態に係るラベルの構成例を示す図である。
【図２】ラベルとラックケースの支柱との関係を示す図である。
【図３】電子機器に対するラベルの設置状態の一例を示す図である。
【図４】ラックケースの組立処理例を示すフローチャートである。
【図５】第２の実施の形態に係るラック装置の外部構成例を示す図である。
【図６】ラックケースに対する電子機器の設置状態例を示す図である。
【図７】電子機器の外部構成例およびラベルの設置状態例を示す図である。
【図８】電子機器に対するラベルの設置状態および位置表示の一例を示す図である。
【図９】ラベルの形成状態の一例を示す図である。
【図１０】ラベルに基づきラックケースに対するケージナットの設置処理の一例を示す図である。
【図１１】ラック装置の組立処理の一例を示すフローチャートである。
【図１２】第３の実施の形態に係るラック装置の構成例を示す図である。
【図１３】支柱に形成される固定孔の配置例を示す図である。
【図１４】支柱の位置情報の表示例を示す図である。
【図１５】支柱の位置情報の他の例を示す図である。
【図１６】ラベルの開口部の形成例および位置表示例を示す図である。
【図１７】第４の実施の形態に係る電子機器およびラベルを示す図である。
【図１８】ラベルの構成例を示す図である。
【図１９】挿通孔の構成例を示す図である。
【図２０】挿通孔の他の構成例を示す図である。
【図２１】他の実施の形態に係るラベルの構成例を示す図である。
【図２２】他の実施の形態に係るラベルの構成例を示す図である。
【図２３】他の実施の形態に係るラベルの構成例を示す図である。
【図２４】他の実施の形態に係るラベルの構成例を示す図である。
【発明を実施するための形態】
【００１５】
〔第１の実施の形態〕
【００１６】
図１は、第１の実施の形態に係るラベルの構成例を示している。図１に示す構成は一例である。
【００１７】
ラベル２は、本開示の搭載位置表示装置および搭載位置表示部品の一例であり、たとえばラックケース２０（図２）に対する電子機器４の搭載位置を示す。ラックケース２０は、たとえば電子機器４を固定手段によって固定させて搭載するラック構造を備えたケースであり、設定された搭載位置に電子機器４を配置して固定させる。このラベル２は、電子機器４に設置してラックケース２０に設定した搭載位置を示すことで、ラックケース２０に向けた電子機器４の組立処理をガイドする。
【００１８】
ラベル２は、たとえば図１に示すように、平面部を備える本体部５に複数の開口部６が形成され、その開口部６の左右または上下方向の近傍に位置表示８が示されている。ラベル２は、電子機器４に形成された支持部１０の挿通孔１２に開口部６を合わせることで、位置表示８により開口部６と対向する挿通孔１２の搭載位置情報を示す。この電子機器４の挿通孔１２は、本開示の挿通孔の一例であり、挿通させた固定手段によりラックケース２０に対して電子機器４を固定させて支持する。
【００１９】
本体部５は、たとえば樹脂材料または金属材料などが平板形状に形成されており、薄いシート形状となっている。本体部５は、たとえば図２に示すようにラックケース２０の支柱１４に形成された固定孔１６と同等の間隔で開口部６が形成されている。開口部６および固定孔１６は、たとえば一定の間隔で複数形成されており、支柱１４に対してラベル２が対向して配置されると挿通可能な状態となる。またラベル２は、電子機器４の支持部１０に対して本体部５を対向して配置させると、開口部６のいずれかが挿通孔１２と挿通可能となるように開口部６の形成間隔が設定されている。
【００２０】
本体部５は、たとえばラックケース２０の支柱１４と同等の長さで形成されてもよく、または設置する電子機器４の長さと同等に形成されてもよい。
【００２１】
開口部６は、たとえば図示しないネジやボルトなどを含む固定手段が挿通孔１２を通じて挿入され、ラベル２と電子機器４を連結させる。また開口部６は、本体部５がラックケース２０の支柱１４に対向して配置されると、貫通した固定手段が固定孔１６に挿通される。
【００２２】
位置表示８は、本開示の位置情報表示部の一例であり、支柱１４に沿って形成された複数の固定孔１６の開口位置を示す位置情報が割り当てられている。この位置表示８は、たとえば図２に示すように、支柱１４の底面側から上部側に向けた固定孔１６の所謂座標を示しており、数字のみ、または数字と文字の組み合わせで表示される。これにより、ラベル２は、電子機器４の挿通孔１２に配置された開口部６の位置に基づき、位置表示８の搭載位置情報（座標）により、ラックケース２０に対する電子機器４の設置位置を示す。
【００２３】
ラベル２の位置表示８は、支柱１４に形成された固定孔１６の絶対位置を示す座標であることから、たとえばラベル２が電子機器４と同等の長さに形成された場合でも、位置表示８により、設定された配置位置に電子機器４を導くことができる。位置表示８は、たとえばラベル２の本体部５に印字されてもよく、または位置情報が記載された部材が貼付されてもよい。
【００２４】
＜電子機器４に対するラベル２の設置について＞
【００２５】
ラベル２は、たとえば図３に示すように、いずれかの開口部６を電子機器の挿通孔１２に合わせ、本体部５の平面部分を電子機器４の支持部１０に接触させて設置される。すなわち、ラベル２は、設定された開口部６と挿通孔１２が連通状態となるように支持部１０側に配置される。ラベル２の設置処理では、たとえばラックケース２０に対する電子機器４の設置位置が決定されており、この決定に応じた位置を示すラベル２の開口部６を挿通孔１２に向けて配置する。ラベル２は、たとえば電子機器４の支持部１０の背面側に配置され、支持部１０と図示しないラックケース２０の支柱１４との間に挟み込まれる。
【００２６】
ラベル２が設置された電子機器４には、たとえば支持部１０の一部に、挿通孔１２が搭載される搭載位置情報として、ラベル２の位置表示８の一部が示され、電子機器４の組立時に外部から把握可能な状態となる。搭載位置情報は、たとえば挿通孔１２の一部に搭載位置を示す位置表示８を露出させてもよく、または支持部１０から露出したラベル２の一部により示されてもよい。そのほか、支持部１０の一部に図示しない開口部が形成され、支持部１０側に配置される位置表示８を露出させてもよい。
【００２７】
連通した挿通孔１２と開口部６には、たとえば固定手段２２が挿通され、支持部１０とラベル２とを一体化させており、支持部１０に対してラベル２がずれないように支持されている。この固定手段２２は、たとえばネジやボルトなどであって、電子機器４の前面側から挿入されている。電子機器４は、たとえばラベル２が配置された支持部１０の背面側をラックケース２０の支柱１４側に接触させ設置される。このとき、固定手段２２は、支柱１４の固定孔１６側に固定軸部分が挿入されて、固定孔１６側に対して直接締結し、または固定孔１６に設置された締結部品に締結される。ラベル２の本体部５は、たとえば樹脂材料で形成された場合、支柱１４と支持部１０との間で押圧されて弾性変形し、支柱１４および支持部１０に密着状態となる。
【００２８】
＜ラベル２の保持手段について＞
【００２９】
ラベル２は、開口部６内に挿入された固定手段２２を保持し、固定手段２２を介して電子機器４との一体化を維持させるための保持手段が形成されている。この保持手段は、たとえば開口部６の内壁面に形成される。開口部６は挿入された固定手段２２のネジ山部分に係合させる係合片２４が複数形成されており、挿通孔１２を通じて挿入された固定手段２２が開口部６内に保持される。
【００３０】
この開口部６には、たとえば一部を幅広に開口した切り込み部２５が９０〔°〕間隔で複数形成され、その切り込み部２５同士の間に係合片２４が形成される。この係合片２４は、両端の切り込み部２５に対して開口部６の中心側に向けて突出状態となり、所謂片持ち梁状態となる。これにより係合片２４は、開口部６内に開口部６と同径またはそれよりも径大な固定手段２２が挿入されると、固定手段２２の周縁にあるネジ山部分との接触により変形することで係合状態となる。
【００３１】
固定手段２２は、係合片２４と係合すると、開口部６および挿通孔１２に対して係合片２４の剛性により所定の力での抜き差しができない状態で保持される。すなわち、ラベル２は、支持部１０側から挿入された固定手段２２を保持することで、支持部１０に対して一体化状態が維持され、ラベル２の脱落などを防止し、設定された電子機器４の設置位置を提示することができる。
【００３２】
＜ラベル２の取付処理＞
【００３３】
次に、電子機器４に対するラベル２の取付処理を含む、ラックケース２０に対する電子機器４の組立処理の一例を示す。図４は、ラックケースの組立処理例を示している。図４に示す処理内容および処理手順は一例である。
【００３４】
このラックケース２０の組立処理は、本開示のラック装置の組立方法の一例であり、たとえば図４に示すように、電子機器４に対するラベル２の取付処理、固定手段２２の設置処理などが含まれる。
【００３５】
組立処理では、たとえばラックケース２０に対する電子機器４の取付位置の確認を行う（Ｓ１）。電子機器４の取付位置は、たとえばラックケース２０に搭載される他の電子機器との配置間隔、および電子機器４の外形や長さなどにより設定してもよく、または予め設置範囲が定められている場合には、ラックケース２０の固定孔１６の座標を設定すればよい。ラックケース２０に対する電子機器４の取付位置が設定されると、電子機器４の挿通孔１２に対し、ラベル２の特定の開口部６を対向させて配置する（Ｓ２）。ラベル２は、ラックケース２０に対する電子機器４の取付位置に対応した開口部６が電子機器４の挿通孔１２に配置される。
【００３６】
次に、組立処理では、電子機器４の挿通孔１２に合わせて配置されたラベル２の位置表示８とラックケース２０への取付位置とを確認する（Ｓ３）。これによりラベル２の位置表示８がラックケース２０のどの固定孔１６に対応するかが確認される。
【００３７】
電子機器４は、ラベル２が支持部１０に対して設置されると、挿通孔１２内に固定手段２２が挿入され、その挿通孔１２を貫通した固定手段２２が開口部６内に挿入される（Ｓ４）。そして固定手段２２によりラベル２と一体化された電子機器４は、位置表示８に基づいてラックケース２０の固定孔１６に取付られる（Ｓ５）。
【００３８】
なお、この実施の形態では、ラックケース２０に対する設置処理の前にラベル２と電子機器４が固定手段２２によって一体化される場合を示したがこれに限られない。ラベル２と電子機器４は、たとえばラックケース２０の設置位置に配置された後に、固定手段２２が挿通孔１２および開口部６内に挿入されてよい。この場合ラベル２は、たとえば電子機器４に配置された後に、組立者により一体に把持されてラックケース２０側に配置されるほか、クリップなどの他の固定手段によりラベル２が支持部１０に固定されればよい。
【００３９】
斯かる構成によれば、ラックケース２０に対する電子機器４の設置処理の迅速化が図れる。また、ラックケース２０側に対する電子機器４の設置位置を示すことでラックケース２０の組立て手順の簡略化が図れる。ラベル２が固定手段２２を保持することで、ラックケース２０への電子機器４の配置位置の誤認回避が図れる。
【００４０】
〔第２の実施の形態〕
【００４１】
図５は、第２の実施の形態に係るラック装置の外部構成例を示している。
【００４２】
図５に示すラック装置３０は、本開示のラック装置の一例であり、たとえばラックケース３２の内部に電子機器４０を着脱可能に搭載させる収納エリア３３が形成されている。このラック装置３０は、たとえばＰＣ（Personal Computer）やサーバ装置、無線通信装置、または無線情報を中継する基地局など、コンピュータを搭載した情報処理装置を形成する。すなわちラック装置３０は、電子機器４０を搭載し、または電子機器４０を着脱して交換することで目的や用途に応じた情報処理装置として機能する。
【００４３】
このラックケース３２には、収納エリア３３の左右両側に上側から下側に亘って支柱３４が形成されている。この支柱３４は、本開示の固定部の一例であり、収納エリア３３に収納させる電子機器４０を固定支持する。支柱３４には、たとえば収納エリア３３の上部から下部側に向けて一定の間隔、または特定の規格などに応じて固定孔３６が複数形成されている。
【００４４】
ラックケース３２には、たとえば複数の電子機器４０Ａ、４０Ｂ、４０Ｃ、・・・４０Ｅが収納される。これらの電子機器４０Ａ〜４０Ｅは、たとえばそれぞれ独立したコンピュータで構成されており、それぞれ複数の機能を実行可能な機器のほか、通信機能や記憶機能などの単能機器であってもよい。そしてこれらの電子機器４０Ａ〜４０Ｅは、たとえばラックケース３２に搭載されることで連携して動作させることができる。
【００４５】
なお、ラック装置３０は、たとえば搭載された電子機器４０Ａ〜４０Ｅのいずれかに他の電子機器を接続させて連動して処理を行う電子機器を備え、この電子機器によってラック装置３０の動作制御を実行させてもよい。また、ラック装置３０は、たとえばラックケース３２に搭載された電子機器４０Ａ〜４０Ｅを連結させて制御する制御機能部をそなえてもよい。
【００４６】
電子機器４０Ａ〜４０Ｅは、ラックケース３２の支柱３４側、すなわち、ラックケース３２に対する左右方向の外形幅は一定に形成されているが、高さはそれぞれ独立しており、同等の高さで形成されるほか、異なる高さで形成されたものが含まれる。そしてラックケース３２には、これらの同等の高さ、または高さの異なる電子機器４０Ａ〜４０Ｅがラックケース３２の上下方向に配列されて設置される。電子機器４０Ａ〜４０Ｅは、たとえばラックケース３２に対して上側または下側、若しくは一定の位置に近接して配置されるほか、組立作業性やラックケース３２の内部の通気性などに基づき、一定の間隔を持たせて搭載される。
【００４７】
電子機器４０Ａ〜４０Ｅは、それぞれの支持部４２の挿通孔４４を通じて固定ネジ４６が支柱３４に締結されることで固定される。固定ネジ４６による締結数は、たとえば電子機器４０Ａ〜４０Ｅの高さや荷重により設定されればよい。
【００４８】
＜ラックケース３２に対する電子機器４０の搭載状態について＞
【００４９】
電子機器４０Ａ〜４０Ｅは、図６に示すように、支持部４２の背面側にラベル５０を介在させてラックケース３２の支柱３４に設置される。このラベル５０は、本開示の搭載位置表示部品の一例であり、支柱３４に形成された固定孔３６と同等の間隔で開口部５２（図７）が形成されている。電子機器４０は、支柱３４に対する設置位置が設定されると、この設置位置を示すラベル５０が取付けられる。挿通孔４４を通じて挿入された固定ネジ４６は、開口部５２に貫通して固定孔３６に締結される。
【００５０】
電子機器４０は、たとえば図７に示すように周囲を金属や樹脂の外装ケース５４で覆われているとともに、ラックケース３２への搭載により収納エリア３３から露出する一面に前面ケース５６が設置されている。この前面ケース５６は、たとえば他の電子機器と区別させるためのデザインが施されるほか、換気孔が形成されてもよく、または電子機器４０と電気的に接続させるための端子などを配置させてもよい。外装ケース５４と前面ケース５６は、たとえば図示しないネジや爪構造などの固定構造を用いて固定され、または接着部材などにより貼り付けられてもよい。
【００５１】
外装ケース５４は、たとえば収納エリア３３の支柱３４に接触せずに挿入可能な大きさである幅Ｗ１、奥行き長さＬ１で形成されている。前面ケース５６は、たとえば外装ケース５４の幅Ｗ１よりも左右に幅広な幅Ｗ２で形成されている。そして外装ケース５４からはみ出した前面ケース５６の両端側は、挿通孔４４が形成された支持部４２となる。前面ケース５６の高さｈ２は、たとえば外装ケース５４の高さｈ１と同等に形成すればよく、または高さｈ１と異ならせてもよい。但し、前面ケース５６の高さｈ２が外装ケース５４の高さｈ１よりも小さい場合、ラックケース３２の前面側から露出される支持部４２の高さよりも電子機器４０の高さが高くなる。この場合、外装ケース５４の高さに応じて収納エリア３３内の収納高さが設定されると、収納エリア３３の前面側には、この電子機器４０と近接する他の電子機器との間に前面ケース５６が無く、外装ケース５４の一部や支柱３４などが露出するほか、隙間などが生じる場合もある。従って、前面ケース５６は、外装ケース５４と同等の高さ、または外装ケース５４より高く形成されることが望ましい。
【００５２】
ラベル５０は、少なくとも挿通孔４４に開口部５２が配置されるように長さｈ３が設定されればよく、たとえば前面ケース５６の高さｈ２と同等に形成されればよい。
【００５３】
＜ラベル２の設置状態および表示機能について＞
【００５４】
ラベル５０は、たとえば支持部４２の背面側に設置されると、平面部分が支持部４２に接触し、特定の開口部５２が挿通孔４４の位置に配置される。挿通孔４４は、たとえば横長の長円形状に形成されており、ラベル５０の開口部５２とともに、開口部５２の周縁の平面部分の一部と対向状態となる。このとき、電子機器４０の前面側には、たとえば図８のＡに示すように挿通孔４４を通じてラベル５０に表示された位置表示５８の一部が露出する。この位置表示５８は、ラックケース３２の支柱３４に形成された固定孔３６の位置座標を示している。すなわち、挿通孔４４は、対向して配置される開口部５２の近傍に表示された位置表示５８を外部に露出させる本開示の窓部の一例である。これによりラベル５０は、固定ネジ４６を挿入して電子機器４０を固定させる固定孔３６の位置表示５８のみが電子機器４０の前面側に示され、他の位置表示５８が支持部４２により隠蔽される。
【００５５】
またラベル５０は、開口部５２内の一部に固定ネジ４６に係合させる係合片５９が形成される。この係合片５９は、固定ネジ４６の保持手段の一例である。そして支持部４２に配置されたラベル５０は、たとえば図８のＢに示すように、挿通孔４４および開口部５２を貫通した固定ネジ４６によって軸支される。またラベル５０は、開口部５２の係合片５９によって固定ネジ４６を保持し、開口部５２から抜け落ちるのを阻止する。この固定ネジ４６の保持機能（脱落防止機能）は、支持部４２を挟んで固定ネジ４６とラベル５０が配置されることで機能する。すなわち、固定ネジ４６は、挿通孔４４に対して抜去方向に変位しても、ネジ山の部分と開口部５２の係合片５９とによる係合状態が維持される。これによりラベル５０は、変位する固定ネジ４６と一体的に変位し、平面部分が支持部４２に接触することで固定ネジ４６のストッパとして機能する。これによりラベル５０は、固定ネジ４６とともに支持部４２への配置状態が維持される。
【００５６】
＜ラベル５０の形成について＞
【００５７】
ラベル５０は、たとえば図９に示すように、電子機器４０の実装高さに対応した高さで、搭載する段数を基準に切断処理される。ラベル５０は、少なくとも電子機器４０の挿通孔４４に対して開口部５２が対向し、また、その対向した開口部５２に設定された位置表示５８が示されればよい。ラベル５０の切断処理では、たとえばラックケース３２に対する配置位置が決定すると、この配置位置を示すラベル５０を基準に、電子機器４０の一端側と同等の位置ＰB、および他端側と同等の位置ＰAが選出され、ハサミやカッターその他の切断手段を利用してカットされる。
【００５８】
またラベル５０は、たとえば切断前の長さが支柱３４と同等に形成されており、搭載する電子機器４０毎に、その筐体の長さに合わせてカットすることで、ラックケース３２に対して電子機器４０が搭載可能か否か、図示しない他の電子機器との配置状態が示される。
【００５９】
＜ラックケース３２側の準備処理について＞
【００６０】
ラック装置３０では、たとえば図１０に示すように電子機器４０に対するラベル５０の設置および開口部５２の配置位置が決められると、ラックケース３２側の準備処理を行う。ラックケース３２側では、たとえばラベル５０を利用して固定ネジ４６の配置座標が確定すると、その固定ネジ４６の座標に合わせて支柱３４の固定孔３６にケージナット（Cage nut）６０が取付けられる。ケージナット６０は、固定ネジ４６に係合させる本開示の係合部品の一例であり、固定孔３６に対して圧入され、または接着部材などを利用して固定される。たとえばラベル５０の開口部５２のうち、挿通孔４４に配置される位置ＸＡ、ＸＢが特定されると、ラックケース３２には、ラベル５０の位置ＸＡ、ＸＢに対応する固定孔３６の位置ＸＡ、ＸＢにケージナット６０が設置される。
【００６１】
なお、ケージナット６０は、たとえば決定した電子機器４０の配置位置に基づいて設置される場合に限られない。ラック装置３０は、たとえば先に特定の固定孔３６にケージナット６０の取付位置を設定し、それに基づいて挿通孔４４を配置させる位置をラベル５０によって特定させてもよい。
【００６２】
＜ラック装置３０の組立処理について＞
【００６３】
図１１は、ラック装置の組立処理の一例を示すフローチャートである。
【００６４】
この組立処理は、本開示のラック装置の組立方法の一例であり、ラベル５０を利用したラックケース３２に対する位置決めや電子機器４０の配置処理が含まれる。
【００６５】
電子機器４０の取付位置の決定処理として（Ｓ１１）、ラック装置３０の組み立て図面や指示書などに基づき、電子機器４０について予め設定されたラックケース３２の取付位置を決定する。
【００６６】
決定した取付位置に基づいて、ラベル５０の加工処理を行う（Ｓ１２）。ラベル５０の加工処理では、たとえば配置される電子機器４０の大きさや挿通孔４４の位置に応じて、ラベル５０の切断処理が行われる。
【００６７】
ラベル５０を電子機器４０に取付ける（Ｓ１３）。切断処理が行われたラベル５０を電子機器４０の支持部４２に配置させ、設定された開口部５２を挿通孔４４に配置させる。そして、電子機器４０は、たとえば前面側から固定ネジ４６を挿入させ、開口部５２に貫通させるとともに、係合片５９により固定ネジ４６を保持する。
【００６８】
ラベル５０によって示された電子機器４０の設置位置情報の確認処理が行われる（Ｓ１４）。ラックケース３２では、この確認された設置位置情報に基づき、対応する固定孔３６に対してケージナット６０の取付処理を行う（Ｓ１５）。
【００６９】
そして、電子機器４０は、ラベル５０とともにラックケース３２の設定位置に対して搭載される（Ｓ１６）。電子機器４０がラックケース３２側に配置されると、固定ネジ４６をケージナット６０に挿入させ、締結させる。このときラベル５０は、たとえば支持部４２と支柱３４との間に挟持され、さらに固定ネジ４６により締結され、平面部分が押圧状態となる。
【００７０】
なお、ラックケース３２に対する電子機器４０の設置処理は、新たにラック装置３０を製造する場合に限られず、たとえばラック装置３０の部品交換や新たな電子機器４０の追加、機能の削除を行う場合に行ってもよい。また、ラック装置３０は、たとえば搭載される電子機器４０の大きさや支持位置が変わる場合、交換前のラベル５０を利用してもよく、または新たなラベル５０を用意して、位置決め処理や切断処理を行えばよい。
【００７１】
＜第２の実施の形態の効果＞
【００７２】
(1) ラック装置３０に対する電子機器４０の設置処理の迅速化が図れる。
【００７３】
(2) ラックケース３２に対する電子機器４０の設置位置を示すことでラック装置３０の組立て手順の簡略化が図れる。
【００７４】
(3) ラベル５０に固定ネジ４６を保持させることで、ラックケース３２への電子機器４０の設置において、配置位置の誤認回避を図れる。
【００７５】
(4) また、電子機器４０の取付け位置を変更する場合でも、従前のラベル５０を流用することで新たな電子機器４０の配置位置を示すことができ、交換処理の利便性が高められるとともに、低コスト化が図れる。
【００７６】
(5) 切断処理された複数のラベル５０の組み合わせがラックケース３２の収納エリア３３の収納可能な範囲を示すので、複数の電子機器４０を搭載する場合、電子機器４０の仮搭載を行わなくても設置位置が重なるか否かの把握ができる。
【００７７】
〔第３の実施の形態〕
【００７８】
図１２は、第３の実施の形態に係るラック装置の構成例を示している。
【００７９】
図１２に示すラック装置７０では、たとえば電子機器４０を支持するラックケース３２の複数の固定孔７２が同等の間隔で形成されず、たとえば所定の規格に基づいて形成されている。ラックケース３２は、たとえば図１３に示すように、連続する３つの固定孔７２Ａ、７２Ｂ、７２Ｃを１段として開口寸法が設定されている。
【００８０】
このラックケース３２は、たとえばＥＩＡ（米国電子工業会：Electronic Industries Alliance）規格に基づいて固定孔７２の形成位置が設定されている。固定孔７２は、たとえば１段内の隣接する固定孔７２Ａ、７２Ｂ、７２Ｃの中心間距離ＬＡが等間隔に設定されており、隣接した段の固定孔７２Ａまたは固定孔７２Ｃとの中心間距離が中心間距離ＬＡと異ならせて設定されている。また、一段分の固定孔７２Ａ、７２Ｂ、７２Ｃは、たとえば一定の形成距離ＬＢ毎に形成される。
【００８１】
支柱３４は、たとえば図１４に示すように、１段毎の位置情報を示す位置情報表示部８０として、段数を示す数字が印字される。また支柱３４には、たとえば図１５に示すように、位置情報表示部８０として、１段毎を区切った境界を示す記号や目印が印字されてもよい。
【００８２】
＜ラベル７４の構成について＞
【００８３】
ラベル７４は、たとえば図１６に示すように、支柱３４の固定孔７２Ａ、７２Ｂ、７２Ｃと同等の間隔で開口部７６が形成される。またラベル７４は、各開口部７６の近傍に固定孔７２Ａ、７２Ｂ、７２Ｃの位置を示す位置表示５８が示されている。この位置表示５８には、たとえばラックケース３２の段数を数字で表すとともに、各固定孔７２Ａ、７２Ｂ、７２Ｃを区別するために、それぞれ「Ａ」、「Ｂ」、「Ｃ」が表示されている。この「Ｃ」の表記は、たとえば１段に含まれる３つの固定位置うち、上段にある固定孔７２Ｃを示しており、「Ａ」の表記は、たとえば３つの固定位置のうち、下段にある固定孔７２Ａを示している。また、「Ｂ」の表記は、たとえば３つの固定位置のうち、中段にある固定孔７２Ｂを示している。すなわち、ラベル７４は、ラックケース３２に対する固定位置について段数表記と文字による通し順序の表記とを組み合わせて示している。
【００８４】
なお、固定孔７２および開口部７６の形成条件およびラベル７２の位置表示５８の表記状態について、たとえばＥＩＡ規格に準拠した場合を示したがこれに限られない。固定孔７２および開口部７６の形成条件や位置表示５８の表示方法は、たとえば他の規格などに基づいて設定してもよい。
【００８５】
斯かる構成によれば、一般的な規格に従って固定孔７２および開口部７６が形成されることで、搭載する電子機器４０の多様化が図れる。また、段数と順序の表記を組み合わせることで、全ての固定孔７２の番号を通しで数えることがなくなり、電子機器４０の取付処理において、設置位置の誤認の可能性を抑えることができる。
【００８６】
〔第４の実施の形態〕
【００８７】
図１７は、第４の実施の形態に係る電子機器およびラベルを示している。
【００８８】
電子機器４０は、たとえば図示しないラックケースに対する配置位置が設定され、ラックケースに固定させる支持部４２に対し、配置位置の条件に基づいてラベル５０が設置されている。このラベル５０は、たとえば図１７に示すように、平面部分の一部が支持部４２の横側面よりも外側にはみ出すように配置され、または固定ネジ４６が挿通する開口部５２を基準に横幅が設定されて形成されている。すなわち、ラベル５０は、たとえば電子機器４０の前面側から視て、平面部分の一部を露出させるように設置されている。
【００８９】
ラベル５０の露出部分には、たとえばラックケースの固定孔を特定する位置情報の一部として、数字で表記された段数情報８２が表示されている。また、支持部４２に形成された挿通孔８１には、ラベル５０からたとえば固定孔を特定する位置情報の一部として、文字で表記された固定孔の１段内の通し順序情報８４が表示されている。
【００９０】
ラベル５０は、たとえば図１８に示すように、平面部分において、開口部５２の左右いずれかの隣に、「Ａ」、「Ｂ」、「Ｃ」のいずれかの文字の通し順序情報８４が表示されている。また、ラベル５０の平面部分には、たとえば通し順序情報８４に対し、開口部５２と反対側で隣接し、ラベル５０の端部側に一定の間隔をもって数字で示した段数情報８２が表示されている。段数情報８２は、たとえば開口部５２を一定数毎に１段としてまとめて示している。通し順序情報８４は、１段毎に開口部５２の位置を特定しており、ラベル５０の下方側から「Ａ」、「Ｂ」、「Ｃ」の順に特定している。ラベル５０の開口部５２は、ラックケースの固定孔の形成位置と同等に形成されている。従って段数情報８２および通し順序情報８４は、固定孔の位置情報も特定している。
【００９１】
なお、このラベル５０は、たとえば１段分を３つの開口部５２でまとめた場合を示したがこれに限られない。１段分の開口部５２の数は、たとえばラベル５０に形成される開口部５２全体の数に対し、一定数で割り切れる数などの条件を設定すればよい。
【００９２】
＜挿通孔８１の形成例について＞
【００９３】
支持部４２には、たとえば図１９に示すように、電子機器４０の前面ケース５６に隣接しない端部側に挿通孔８１が形成されており、挿通孔８１の一部が支持部４２の端部の側面側と連通し、開放状態とした、所謂長円切り欠き形状となっている。挿通孔８１は、たとえば端部側の開放部分またはその近傍にラベル５０に表示された通し順序情報８４の一部を配置させる。これにより支持部４２は、ラベル５０に記載された位置情報のうち、段数情報８２は全て外部に表示させるとともに、固定孔を特定するための通し順序情報８４は固定ネジ４６が締結されるもののみを露出させ、他の通し順序情報８４を隠蔽する。
【００９４】
＜挿通孔８１の他の形成例について＞
【００９５】
また支持部４２は、たとえば図２０に示すように、端部側に挿通孔８１に隣接して、挿通孔８１よりも狭小に開口させた開放部８６が形成されている。この開放部８６は、たとえば挿通孔８１に挿通される固定ネジ４６のネジ軸部を通過させない幅で形成されている。また、開放部８６は、ラベル５０に表示された特定の通し順序情報８４のみを露出可能に開放されている。このように挿通孔８１に対して開放部８６が形成されることで、固定ネジ４６と挿通孔８１との位置が固定され、支持部４２に対するラベル５０の配置位置が変位するのを阻止できる。
【００９６】
なお、支持部４２は、たとえば電子機器４０の左右両端に形成される。従って、上記の挿通孔８１や開放部８６は、支持部４２の形成方向に応じて、形成方向が決まる。
【００９７】
＜第４の実施の形態の効果＞
【００９８】
(1) ラベル５０は、固定ネジ４６が配置される位置情報のみならず、その挿通孔の近傍の段数情報なども示すことで、位置特定のための情報を多く表示でき、ラックケースに対する電子機器４０の取付位置の誤認の可能性を減らすことができる。
【００９９】
(2) また、ラックケースに対して電子機器４０を搭載した場合に、ラベル５０の露出部分および段数情報８２をラックケースの固定孔の位置表示に利用することができる。これにより、段数表記が無い、または少ないラックケースに対し、ラベル５０により固定孔の位置表示を行うことができる。
【０１００】
〔他の実施の形態および特徴事項〕
【０１０１】
以上説明した実施形態について、特徴事項や変形例を以下に列挙する。
【０１０２】
(1) 上記実施の形態では、ラックケース３２に搭載される電子機器４０の一方の支持部４２に対して、電子機器４０の高さに合わせて形成された１つのラベル５０を設置する場合を示したがこれに限られない。ラベル５０は、たとえば図２１に示すように、ラックケース３２の支柱３４と同等の長さに形成され、または電子機器４０よりも長く形成されており、このラベル５０を複数の電子機器４０Ａ、４０Ｂの支持部４２Ａ、４２Ｂに配置させてもよい。すなわちラベル５０には、たとえば支持部４２Ａ、４２Ｂが連結状態となる。
【０１０３】
なお、ラベル５０は、たとえば薄型のシート形状に形成されることから、大きな荷重を支持することはできない場合がある。ラックケース３２に対する電子機器４０Ａ、４０Ｂの組み立て処理では、たとえば図示しない支持手段、または作業者が電子機器４０Ａ、４０Ｂを支持してラベル５０を設置すればよい。
【０１０４】
斯かる構成によれば、電子機器４０Ａ、４０Ｂをラックケース３２に搭載させずに収納エリア３３内での電子機器４０Ａ、４０Ｂの配置位置、配置間隔などの状態が把握でき、電子機器４０Ａ、４０Ｂの設置位置の誤認を防止できる。また、ラベル５０を利用することで、電子機器４０Ａ、４０Ｂ間の通気や排熱機能の想定などを行うことができる。また、ラックケース３２に対する電子機器４０Ａ、４０Ｂの設置処理において、ラベル５０で電子機器４０Ａ、４０Ｂを連結させることで、複数の電子機器４０Ａ、４０Ｂを同時に設置することができ、利便性が高められる。
【０１０５】
(2) 上記実施の形態では、ラベル５０は、電子機器４０の外形、高さに応じて切断し、電子機器４０と同等の長さに形成される場合を示したがこれに限られない。ラベル５０の長さｈ４は、たとえば図２２に示すように、電子機器４０の前面ケース５６の高さｈ２より高くなるように長さが設定されてもよい。このときラベル５０は、たとえばラックケース３２側の支柱３４に示された位置情報表示部８０の段数表示のうち、最も近い段数表示８０Ｘに基づいて切断位置ＰＸを設定している。ラベル５０は、たとえば前面ケース５６の高さｈ２が特定の段数の途中までの長さであることから、高さｈ３よりも高く、段数が切り替わる位置を基準にラベル５０の長さｈ４をとっている。
【０１０６】
斯かる構成によれば、ラックケース３２に対する電子機器４０の設置について、位置表示５８の段数情報から設置範囲を絞り込むことができ、電子機器４０の設置範囲を大きく誤認することがない。また、ラベル５０は、段数の切り替わる位置を基準に形成し、異なる電子機器４０間の位置表示５８に同じ段数番号を表示しないことで、設置位置の重なり防止や、誤認を防止できる。さらに、ラックケース３２に対し電子機器４０の上端または下段側のいずれかを各段数の初めまたは終わりに設定できるので、設置位置の誤認防止や、設置位置の確認などを容易に行うことができる。
【０１０７】
(3) 上記実施の形態では、電子機器４０の一方の支持部４２に対して１つのラベル５０が配置される場合を示したが、これに限られない。支持部４２には、たとえば図２３に示すように、複数のラベル５０Ａ、５０Ｂ、５０Ｃ、５０Ｄが設置されてもよい。ラベル５０Ａ〜５０Ｄは、ラックケース３２に対する電子機器４０の配置位置を示すものであり、少なくとも固定ネジ４６を挿通させる挿通孔４４の位置情報を示すものである。
【０１０８】
ラベル５０Ａ〜５０Ｄは、たとえば支持部４２の挿通孔４４に対してラックケース３２の固定孔３６の絶対位置（座標）に合わせて配置間隔が設定されている。すなわち、ラベル５０Ａとラベル５０Ｂ、およびラベル５０Ｃとラベル５０Ｄは、固定孔３６の形成位置に従って決められた間隔を維持して支持部４２に配置されており、この間隔を変化させない。
【０１０９】
斯かる構成によれば、たとえば大型の電子機器４０をラックケース３２に設置する場合や、支持部４２に多数の挿通孔４４が形成される場合、近い位置の挿通孔４４毎にラベル５０の設置処理や位置情報の確認が行える。これにより、挿通孔４４の配置位置の確認を詳細に行うことができ、電子機器４０の配置位置の誤認を減らすことができる。たとえば１の挿通孔４４に対するラベル５０の配置位置を誤った場合でも、他の挿通孔について別のラベル５０の設置を行うときに別途位置確認が行われるので、配置位置の誤認監視を行える。
【０１１０】
(4) 上記実施の形態では、ラベル５０は、電子機器４０の支持部４２の背面側に配置され、ラックケース３２に対して電子機器４０が設置される場合、支持部４２と支柱３４との間に挟持される場合を示したが、これに限られない。ラベル５０は、たとえば図２４に示すように、電子機器４０の前面側に露出させて支持部４２に設置してもよい。ラベル５０の開口部５２には、挿入された固定ネジ４６を保持する保持手段が形成されており、設定された開口部５２に固定ネジ４６を挿入させた状態でラベル５０が支持部４２に配置される。
【０１１１】
ラックケース３２に対する電子機器４０の挿通孔４４の位置表示は、たとえば固定ネジ４６が挿入されたラベル５０の開口部５２の近傍に表示された位置表示５８を利用すればよい。また、支持部４２には、たとえば挿通孔４４またはその近傍に、固定ネジ４６が挿入されるラベル５０の位置表示５８を表示する表示手段などが設置されればよい。この表示手段として、支持部４２には、たとえばラベル５０に近い位置で挿通孔４４が形成された位置を外部から把握できるように着色し、または発光させてもよい。
【０１１２】
斯かる構成によれば、ラベル５０が開口部５２に形成された保持手段によって固定ネジ４６の設置位置を変動や脱落させず、支持部４２側に配置されることで、ラックケース３２に対する電子機器４０の配置位置の誤認防止やラック装置３０の組み立て処理の迅速化を図れる。
【０１１３】
(5) 上記実施の形態では、ラベル５０は、支持部４２に配置された場合に、窓部を形成する挿通孔４４から位置表示５８が電子機器４０の前面側に露出させる場合を示したが、これに限られない。ラベル５０は、たとえば平面部の背面側や側面側のみ、または前面側とともに背面側や側面側に位置表示５８を表示させてもよい。
【０１１４】
斯かる構成によれば、ラック装置３０の組み立て処理において、作業者の位置や電子機器４０の向き、形状などに関わらず、ラックケース３２に対する位置情報５８を常に確認することができ、電子機器４０の配置やケージナット６０の設置位置の誤認を回避できる。また、ラベル５０が電子機器４０の支持部４２の前面側に配置される場合でも、電子機器４０の背面側から挿通孔４４を通じて位置表示５８が視認でき、または側面側などからも位置表示５８が確認できる。
【０１１５】
(6) 電子機器４０は、所定の間隔で配置された挿通孔４４が支持部４２に形成されている。固定ネジ４６をネジ止めするためのケージナット６０が装着される固定孔３６を有するラックケース３２に電子機器４０が搭載される。ラベル５０は、ラックケース３２に対する電子機器４０の取付位置および、固定ネジ４６を挿通させる開口部５２を有し、電子機器４０に対して固定ネジ４６により取付け可能に形成されている。電子機器４０の支持部４２では、ラックケース３２に固定ネジ４６を用いて固定させる挿通孔４４が、ラベル５０に表示されている位置表示５８を表示するための窓部として兼用されている。
【０１１６】
(7) ラベル５０は、ラックケース３２の全段数分の固定孔３６の位置情報であり、固定ネジ４６を挿通させる開口部５２を有する長尺シート形状で形成されている。そしてラベル５０は、電子機器４０のラック搭載段位置ならびに、電子機器４０の実装高さに合わせて適宜切断可能である。
【０１１７】
(8) ラベル５０は、ラックケース３２の段数を示す数字と、１段分の孔位置識別を示す文字情報により形成されている。
【０１１８】
(9) ラベル５０の開口部５２は、ネジ脱落防止形状に形成されている。
【０１１９】
(10) 電子機器４０の挿通孔８１は、固定ネジ４６を挿通させるとともに、表示窓部として機能し、長円穴形状で一連に形成されている。
【０１２０】
(11) 電子機器４０の挿通孔８１は、固定ネジ４６を挿通させるとともに、表示窓部として機能し、長円切り欠き形状で一連に形成されている。
【０１２１】
(12) 表示窓部を形成する開放部８６は、固定ネジ４６の径よりも狭く形成されている。
【０１２２】
(13) ラベル５０は、段数情報８２を示す数字が支持部４２の外側に表示されるように配置される。
【０１２３】
次に、以上述べた実施の形態に関し、更に以下の付記を開示する。以下の付記に本開示の技術が限定されるものではない。
【０１２４】
（付記１）ラックケースの固定孔の一部または全部と等間隔に複数の開口部が形成され、前記ラックケースに搭載される電子機器の支持部に形成された挿通孔に該開口部の一部を配置させる本体部と、
前記開口部の周縁に表示され、前記開口部に対する前記挿通孔の配置位置に基づいて前記ラックケースの前記固定孔に対する前記挿通孔の設置位置を示す位置情報表示部と、
を備え、前記開口部は、前記挿通孔を通じて挿通された固定手段を保持する保持手段を備えることを特徴とする搭載位置表示装置。
【０１２５】
（付記２）前記本体部は、前記開口部の開口位置が前記固定孔の一部または全部と同間隔で形成されることを特徴とする付記１に記載の搭載位置表示装置。
【０１２６】
（付記３）前記位置情報表示部は、前記電子機器の前記支持部に対向して配置された前記本体部の前記開口部に前記固定手段が挿通されることで、前記ラックケースの前記固定孔に向けて前記支持部を導くことを特徴とする、付記１または付記２に記載の搭載位置表示装置。
【０１２７】
（付記４）前記位置情報表示部は、数字および文字情報を組み合わせて前記固定孔に対する配置位置を示すことを特徴とする付記１ないし付記３のいずれか１つに記載の搭載位置表示装置。
【０１２８】
（付記５）前記本体部は、前記固定孔が形成された前記ラックケースの固定部と、前記電子機器の前記支持部との間に挟持されることを特徴とする付記１ないし付記４のいずれか１つに記載の搭載位置表示装置。
【０１２９】
（付記６）前記本体部は、弾性変形可能な樹脂材料で形成されることを特徴とする付記１ないし付記５のいずれか１つに記載の搭載位置表示装置。
【０１３０】
（付記７）前記保持手段は、挿通された前記固定手段の外周部分に係合する係合片を備えることを特徴とする付記１ないし付記６のいずれか１つに記載の搭載位置表示装置。
【０１３１】
（付記８）前記本体部は、対向して配置される前記電子機器の前記支持部に応じて長さが設定されることを特徴とする、付記１ないし付記７のいずれか１つに記載の搭載位置表示装置。
【０１３２】
（付記９）固定手段を挿通させる挿通孔が形成された支持部を備える電子機器と、
収納部の開口側に１または複数の前記電子機器を固定する固定部が形成され、該固定部に形成した複数の固定孔のいずれかに前記固定手段を介して前記電子機器を固定させるラックケースと、
前記固定孔の一部または全部と等間隔に複数の開口部が形成され、該開口部の一部に対して、前記電子機器の前記挿通孔が配置される本体部と、前記開口部の周縁に表示され、前記開口部に対する前記挿通孔の配置位置に基づいて前記ラックケースの前記固定孔に対する前記挿通孔の設置位置を示す位置情報表示部とを備え、前記開口部は、前記挿通孔を通じて挿通される前記固定手段を保持する保持手段を備える搭載位置表示部品と、
を備えることを特徴とするラック装置。
【０１３３】
（付記１０）前記電子機器は、前記支持部の一部に、前記挿通孔が配置された前記開口部に対する前記位置情報表示部を外部に露出させる窓部を備えることを特徴とする付記９に記載のラック装置。
【０１３４】
（付記１１）前記窓部は、前記挿通孔と一体に形成されることを特徴とする付記１０に記載のラック装置。
【０１３５】
（付記１２）前記支持部は、１または複数の前記搭載位置表示部品が設置されることを特徴とする付記９ないし付記１１のいずれか１つに記載のラック装置。
【０１３６】
（付記１３）ラックケースの固定孔の一部または全部と等間隔に複数の開口部が形成された搭載位置表示部品の本体部の該開口部の一部に対して、固定手段を挿通させる電子機器の挿通孔を配置させ、
前記開口部の周縁に表示された位置情報表示部により、前記開口部に対する前記挿通孔の配置位置に基づいて前記固定孔に対する前記挿通孔の設置位置を示し、
前記挿通孔を通じて挿通された前記固定手段を前記開口部に形成された保持手段で保持し、
前記ラックケースの収納部の固定部に形成された複数の前記固定孔のいずれかに、前記固定手段により前記電子機器を固定させる、
処理を含むことを特徴とするラック装置の組立て方法。
【０１３７】
（付記１４）さらに、前記搭載位置表示部品は、対向して配置した前記電子機器の支持部の長さに応じて、前記本体部の長さを調整する処理を含むことを特徴とする、付記１３に記載のラック装置の組立て方法。
【０１３８】
（付記１５）前記搭載位置表示部品によって示された前記電子機器の前記挿通孔の設置位置に基づき、前記ラックケースの前記固定孔に、前記固定手段と係合させる係合部品を設置する処理を含むことを特徴とする、付記１３または付記１４に記載のラック装置の組立て方法。
【０１３９】
以上、本開示の構成の好ましい実施形態等について説明した。しかし、本開示の技術は上記実施の形態の記載に限定されるものではない。特許請求の範囲に記載され、または明細書に開示された技術の要旨に基づき、当業者において様々な変形や変更が可能であることは勿論である。そして斯かる変形や変更が本開示の技術に含まれることは言うまでもない。
【符号の説明】
【０１４０】
２、５０、５０Ａ、５０Ｂ、５０Ｃ、５０Ｄ、７４  ラベル
４、４０、４０Ａ、４０Ｂ、４０Ｃ、・・・４０Ｅ  電子機器
５  本体部
６、５２、７６  開口部
８、５８  位置表示
１０、４２  支持部
１２、４４、８１  挿通孔
１４、３４  支柱
１６、３６、７２、７２Ａ、７２Ｂ、７２Ｃ  固定孔
２０、３２  ラックケース
２２  固定手段
２４、５９  係合片
２５  切り込み部
３０、７０  ラック装置
３３  収納エリア
４６  固定ネジ
５４  外装ケース
５６  前面ケース
６０  ケージナット
８０  位置情報表示部
８０Ｘ  段数表示
８２  段数情報
８４  通し順序情報
８６  開放部
【図１】
2015153849.tif 000003
【図２】
2015153849.tif 000004
【図３】
2015153849.tif 000005
【図４】
2015153849.tif 000006
【図５】
2015153849.tif 000007
【図６】
2015153849.tif 000008
【図７】
2015153849.tif 000009
【図８】
2015153849.tif 000010
【図９】
2015153849.tif 000011
【図１０】
2015153849.tif 000012
【図１１】
2015153849.tif 000013
【図１２】
2015153849.tif 000014
【図１３】
2015153849.tif 000015
【図１４】
2015153849.tif 000016
【図１５】
2015153849.tif 000017
【図１６】
2015153849.tif 000018
【図１７】
2015153849.tif 000019
【図１８】
2015153849.tif 000020
【図１９】
2015153849.tif 000021
【図２０】
2015153849.tif 000022
【図２１】
2015153849.tif 000023
【図２２】
2015153849.tif 000024
【図２３】
2015153849.tif 000025
【図２４】
2015153849.tif 000026